(57)【要約】【課題】階調を優先的に割り当てる輝度範囲を簡単に指定することができ、かつ、指定した範囲外の輝度の階調がつぶれてしまうことを抑制する。【解決手段】表示手段に表示されている画像における位置の指定を受け付ける入力手段と、前記指定された位置における画像の階調値である指定階調値を取得する取得手段と、前記画像の階調値を前記表示手段に表示する輝度に変換する変換手段と、前記指定階調値に基づき前記変換手段による変換特性を決定する決定手段と、を備え、前記変換特性は、基準の変換特性において前記指定階調値を中心とする入力範囲の階調値に対応する輝度範囲より広い出力範囲の輝度に変換する特性を有し、少なくとも、前記出力範囲の上限値は最大輝度より小さいか、又は、前記出力範囲の下限値は最小輝度より大きいことを特徴とする画像処理装置。【選択図】図１
2018042150.tif 000002
【特許請求の範囲】
【請求項１】
表示手段に表示されている画像における位置の指定を受け付ける入力手段と、
前記指定された位置における画像の階調値である指定階調値を取得する取得手段と、
前記画像の階調値を前記表示手段に表示する輝度に変換する変換手段と、
前記指定階調値に基づき前記変換手段による変換特性を決定する決定手段と、
を備え、
前記変換特性は、基準の変換特性において前記指定階調値を中心とする入力範囲の階調値に対応する輝度範囲より広い出力範囲の輝度に変換する特性を有し、少なくとも、前記出力範囲の上限値は最大輝度より小さいか、又は、前記出力範囲の下限値は最小輝度より大きいことを特徴とする画像処理装置。
【請求項２】
前記入力範囲は、前記指定階調値を中心とする所定幅の階調範囲であり、
前記出力範囲は、所定幅の輝度範囲であり、
前記出力範囲の上限値及び下限値は、所定値である請求項１に記載の画像処理装置。
【請求項３】
前記基準の変換特性において前記入力範囲の上限値に対応する出力輝度が、前記出力範囲の所定の上限値より大きい場合、
前記決定手段は、前記出力輝度を前記出力範囲の上限値とし、前記出力範囲の輝度幅が所定幅となるように、前記出力範囲の下限値を決定する請求項２に記載の画像処理装置。
【請求項４】
前記基準の変換特性において前記入力範囲の下限値に対応する出力輝度が、前記出力範囲の所定の下限値より小さい場合、
前記決定手段は、前記出力輝度を前記出力範囲の下限値とし、前記出力範囲の輝度幅が所定幅となるように、前記出力範囲の上限値を決定する請求項２又は３に記載の画像処理装置。
【請求項５】
前記入力範囲は、前記指定階調値を中心とする可変幅の階調範囲であり、
前記出力範囲は、所定幅の輝度範囲であり、
前記出力範囲の上限値及び下限値は、所定値であり、
前記決定手段は、前記基準の変換特性において前記入力範囲に対応する基準出力範囲の輝度幅が所定幅となるように、前記入力範囲の下限値及び上限値を決定する請求項１に記載の画像処理装置。
【請求項６】
前記決定手段は、前記出力範囲の輝度幅に基づき前記基準出力範囲の輝度幅を決定する請求項５に記載の画像処理装置。
【請求項７】
前記入力範囲は、前記指定階調値を中心とする所定幅の階調範囲であり、
前記出力範囲は、所定幅の輝度範囲であり、
前記出力範囲の上限値及び下限値は、可変値であり、
前記決定手段は、前記出力範囲より低輝度側の輝度幅に対する前記出力範囲より高輝度側の輝度幅の比率が、前記基準の変換特性において前記入力範囲に対応する基準出力範囲より低輝度側の輝度幅に対する前記基準出力範囲より高輝度側の輝度幅の比率と、同じになるように、前記出力範囲の上限値及び下限値を決定する請求項６に記載の画像処理装置。
【請求項８】
前記入力範囲は、前記指定階調値を中心とする所定幅の階調範囲であり、
前記出力範囲は、所定幅の輝度範囲であり、
前記出力範囲の上限値及び下限値は、可変値であり、
前記決定手段は、前記出力範囲より低輝度側の輝度幅に対する前記出力範囲より高輝度
側の輝度幅の比率が、前記基準の変換特性において前記入力範囲に対応する基準出力範囲より低輝度側の輝度幅に対する前記基準出力範囲より高輝度側の輝度幅の比率よりも大きくなるように、前記出力範囲の上限値及び下限値を決定する請求項６に記載の画像処理装置。
【請求項９】
前記入力範囲は、前記指定階調値を中心とする所定幅の階調範囲であり、
前記出力範囲は、前記指定階調値に基づき決定される可変幅の輝度範囲である請求項１に記載の画像処理装置。
【請求項１０】
前記決定手段は、前記指定階調値が大きいほど前記出力範囲の輝度幅を大きくする請求項９に記載の画像処理装置。
【請求項１１】
前記表示手段は、前記基準の変換特性により変換した画像を表示する第１モード、又は、前記決定手段により前記指定階調値に基づき決定された変換特性により変換した画像を表示する第２モードにより画像を表示する請求項１〜１０のいずれか１項に記載の画像処理装置。
【請求項１２】
前記入力手段は、前記第１モード又は前記第２モードの指定をさらに受け付ける請求項１１に記載の画像処理装置。
【請求項１３】
前記基準の変換特性は、前記表示手段のガンマ特性に基づき決定される変換特性である請求項１〜１２のいずれか１項に記載の画像処理装置。
【請求項１４】
前記入力手段は、ユーザがタッチした画面上の位置を検出可能なタッチパネルである請求項１〜１３のいずれか１項に記載の画像処理装置。
【請求項１５】
請求項１〜１４のいずれか１項に記載の画像処理装置と、
前記画像処理装置により変換された画像を表示する表示手段と、
を備える表示装置。
【請求項１６】
請求項１５に記載の表示装置と、
前記表示装置に撮影画像を出力する撮像素子と、
を有する撮影装置。
【請求項１７】
表示手段に表示されている画像における位置の指定を受け付ける入力工程と、
前記指定された位置における画像の階調値である指定階調値を取得する取得工程と、
前記画像の階調値を前記表示手段に表示する輝度に変換する変換工程と、
前記指定階調値に基づき前記変換工程による変換特性を決定する決定工程と、
を有し、
前記変換特性は、基準の変換特性において前記指定階調値を中心とする入力範囲の階調値に対応する輝度範囲より広い出力範囲の輝度に変換する特性を有し、少なくとも、前記出力範囲の上限値は最大輝度より小さいか、又は、前記出力範囲の下限値は最小輝度より大きいことを特徴とする画像処理装置の制御方法。
【請求項１８】
請求項１７に記載の画像処理装置の制御方法の各工程をコンピュータに実行させるプログラム。
【発明の詳細な説明】
【技術分野】
【０００１】
本発明は、画像処理装置及びその制御方法に関するものである。
【背景技術】
【０００２】
ハイダイナミックレンジ（Ｈｉｇｈ  Ｄｙｎａｍｉｃ  Ｒａｎｇｅ：ＨＤＲ）撮影が可能な撮影装置では、撮影画像の確認のため、ＨＤＲ表示可能な表示装置が必要となる。ＨＤＲ表示を行うためには、ピーク輝度が高く、かつコントラストが高い表示装置が必要となる。しかし撮影装置本体に付属する小型の表示装置ではダイナミックレンジや輝度等の性能上の制限からＨＤＲ表示ができない場合がある。これに対し、特許文献１では、輝度ヒストグラムにおいてユーザが指定した輝度範囲に全階調を割り当てるガンマ変換を行うことで、ユーザが指定した輝度範囲における階調特性を向上させている。
【先行技術文献】
【特許文献】
【０００３】
【特許文献１】特開２００７−２２８０４８号公報
【発明の概要】
【発明が解決しようとする課題】
【０００４】
しかしながら、この従来技術では、画面に表示された輝度ヒストグラムにユーザがタッチする方法を用いて輝度範囲の指定を行っているため、ユーザが所望の輝度範囲を指定することが難しい。また、ユーザが指定した範囲外の輝度は階調がつぶれてしまうため元の画像が全体としてどのような画像であるかユーザが認識しづらいという課題があった。
【０００５】
本発明は、階調を優先的に割り当てる輝度範囲を簡単に指定することができ、かつ、指定した範囲外の輝度の階調がつぶれてしまうことを抑制することを目的とする。
【課題を解決するための手段】
【０００６】
本発明は、表示手段に表示されている画像における位置の指定を受け付ける入力手段と、
前記指定された位置における画像の階調値である指定階調値を取得する取得手段と、
前記画像の階調値を前記表示手段に表示する輝度に変換する変換手段と、
前記指定階調値に基づき前記変換手段による変換特性を決定する決定手段と、
を備え、
前記変換特性は、基準の変換特性において前記指定階調値を中心とする入力範囲の階調値に対応する輝度範囲より広い出力範囲の輝度に変換する特性を有し、少なくとも、前記出力範囲の上限値は最大輝度より小さいか、又は、前記出力範囲の下限値は最小輝度より大きいことを特徴とする画像処理装置である。
【０００７】
本発明は、表示手段に表示されている画像における位置の指定を受け付ける入力工程と、
前記指定された位置における画像の階調値である指定階調値を取得する取得工程と、
前記画像の階調値を前記表示手段に表示する輝度に変換する変換工程と、
前記指定階調値に基づき前記変換手段による変換特性を決定する決定工程と、
を有し、
前記変換特性は、基準の変換特性において前記指定階調値を中心とする入力範囲の階調値に対応する輝度範囲より広い出力範囲の輝度に変換する特性を有し、少なくとも、前記出力範囲の上限値は最大輝度より小さいか、又は、前記出力範囲の下限値は最小輝度より
大きいことを特徴とする画像処理装置の制御方法である。
【発明の効果】
【０００８】
本発明によれば、階調を優先的に割り当てる輝度範囲を簡単に指定することができ、かつ、指定した範囲外の輝度の階調がつぶれてしまうことを抑制することができる。
【図面の簡単な説明】
【０００９】
【図１】実施例１の撮影装置の構成を示すブロック図
【図２】実施例１の撮影装置の構成を示すブロック図
【図３】ＬＣＤに表示される画面を説明するための図
【図４】実施例１のガンマを変更する処理を説明する図
【図５】実施例２のガンマを変更する処理を説明する図
【図６】実施例３のガンマを変更する処理を説明する図
【図７】実施例４のガンマを変更する処理を説明する図
【発明を実施するための形態】
【００１０】
＜実施例１＞
以下、本発明の実施例１に係る画像処理装置及び表示装置を備えた撮影装置について説明する。
図１は、実施例１の撮影装置の構成を示す図である。撮影装置は、例えばスチルカメラやビデオカメラである。システム制御部１０１には、電源スイッチ１１２、操作スイッチ１１３、液晶表示部１０５、メモリ１１４が接続する。電源スイッチ１１２は撮影装置の電源をオン／オフ操作する切替スイッチである。操作スイッチ１１３は撮影装置を操作するためのスイッチである。
【００１１】
液晶表示部１０５は、システム制御部１０１から出力される画像を表示する表示手段である。液晶表示部１０５は、撮影装置で撮影された撮影画像や撮影装置に記録された画像の再生画像をシステム制御部１０１から入力し表示する。液晶表示部１０５は、液晶パネル１０７と、液晶パネル１０７の前面に配置されるタッチパネル１０６と、液晶パネル１０７を背面側がら照射するバックライト１０８からなる。
タッチパネル１０６は、ユーザがタッチした画面上の位置を検出可能であり、液晶表示部１０５に表示されている画像における位置の指定を受け付ける入力手段である。画面に表示されるメニュー等にタッチパネル１０６を介してユーザがタッチ操作を行うことにより、撮影装置の設定や画像の再生等の指示を撮影装置に入力することができる。
電源回路１０９は、バックライト１０８に供給する電流制御を行う。
システム制御部１０１は、電源回路１０９を制御することでバックライト１０８の輝度を制御する。
【００１２】
画像・音声入力部１０２は、撮像部（撮像素子）と集音部からなる。撮像部は、レンズによりとらえられた被写体の光学像を電気信号に変換し、所定形式の画像信号を出力する。集音部は、外部の音声を入力するマイク等である。撮像部は、撮影画像を表示装置である液晶表示部１０５へ出力する。画像・音声信号処理部１０３は、画像・音声入力部１０２からの画像信号や音声信号に対し、ノイズリダクション処理や信号レベルを一定にコントロールするＡＧＣ（Auto Gain Control）等の各種信号処理を行う。これらの処理が行
われたアナログ信号は、図示しないＡ／Ｄ変換部によってデジタル信号へ変換されてデジタル信号処理部１１０に供給される。
【００１３】
デジタル信号処理部１１０は、画像・音声信号処理部１０３から入力される信号に対して、フォーマット変換やリサイズ処理、ＯＳＤ（On Screen Display）画像の重畳処理等
を行い、パネル信号処理部１１１に供給する。
パネル信号処理部１１１は、液晶パネル１０７へ出力する画像信号に対し信号処理を行う。パネル信号処理部１１１の処理内容は後述する。
ユーザが撮影装置で撮影操作を行うと、システム制御部１０１は、デジタル信号処理部１１０から出力される画像信号及び音声信号を記録再生部１０４へ出力する。記録再生部１０４は、図示しない記録媒体に画像信号及び音声信号を記録する。
メモリ１１４は、撮影装置に内蔵され、一時的にデータを保存することが可能な記録装置であって、例えばデジタル信号処理部１１０がデータ処理する際に一時的にデータを記録する。
【００１４】
次に、パネル信号処理部１１１について説明する。図２はパネル信号処理部１１１の機能構成を示す図である。
Ｇａｉｎ／シャープネス補正部２０１は、輝度信号（Ｙ信号）に対して信号レベルを調正するゲイン調整、エッジ強調を行うシャープネス補正処理を行う。
Ｇａｉｎ／色補正部２０２は、色差信号（Ｃｂ／Ｃｒ信号）に対してゲイン調整、彩度や色相を調整する色補正処理を行う。
マトリクス回路２０３は、輝度信号と色差信号を一次元マトリクス演算処理にてＲＧＢ信号に変換する。
ガンマ補正部２０４は、画像の階調値を液晶パネル１０７に表示する輝度に変換する変換手段である。ガンマ補正部２０４は、ＲＧＢそれぞれの信号に対してガンマ補正を行う。ガンマ補正部２０４は、記憶装置に記憶されたＬＵＴ（Look Up Table）を参照して変
換処理を行う。ＬＵＴはガンマ補正に用いるガンマ特性を予め算出して記憶装置に記憶させたものである。なお、ＬＵＴを用いずに都度ガンマ特性を算出する構成でも良い。
ブライト／コントラスト補正部２０５は、ＲＧＢそれぞれの信号に対して、ブライト補正処理及びコントラスト補正処理を行う。
【００１５】
次に、実施例１における撮影装置の動作について説明する。
ユーザが電源スイッチ１１２を操作することにより撮影装置に電源が供給される。ユーザが操作スイッチ１１３を操作することにより撮影装置を記録モードや再生モードに設定することができる。
【００１６】
液晶表示部１０５の液晶パネル１０７には図３（Ａ）に示す撮影画像が表示される。実施例１の液晶パネル１０７に入力画像の階調数は８ビットとする。入力画像の最大階調値は２５５、最小階調値は０である。なお、入力画像の階調数は一例であって、本発明はどのような階調数の入力画像に対しても適用可能である。液晶パネル１０７は、２５６段階の入力階調値の各々に対してガンマ特性に基づき決定される輝度に応じた液晶駆動電圧を画素毎に印加することにより、入力画像を表示する。図３（Ａ）の表示は、標準的なガンマ値２．２のガンマ特性ＧＬＵＴ１でガンマ補正部２０４によりガンマ補正を行った場合の表示を示している。この基準の変換特性であるガンマ特性ＧＬＵＴ１を図４（Ａ）に示す。図４（Ａ）において、横軸は入力画像の８ビット（０〜２５５）の階調値を表し、縦軸は輝度レベルを表す。入力画像の最大階調値２５５に対応する輝度レベルを１００％とする。なお、実施例１では、表示手段（液晶パネル１０７）のガンマ特性に基づき決定される変換特性（ガンマ値２．２のガンマ特性）を基準の変換特性とする例を示したが、基準の変換特性はこれに限らない。
【００１７】
実施例１の液晶表示部１０５は、基準の変換特性により変換した画像を表示する第１モード、又は、ユーザが指定した指定階調値に基づき決定された変換特性により変換した画像を表示する第２モードにより画像を表示することができる。実施例１では、第１モードでは、液晶パネル１０７のガンマ特性（ガンマ２．２）に基づきガンマ変換した画像を表示する。第２モードでは、ユーザが指定した階調値を中心とする階調範囲のダイナミックレンジを拡大するようにガンマ補正部２０４が決定した変換特性を用いて変換した画像を
表示する。後述するように、第２モードで用いられる変換特性は、ユーザが指定した指定階調値を中心とする範囲（入力範囲）の階調値を、基準の変換特性において入力範囲に対応する輝度範囲である基準出力範囲より広い輝度範囲の輝度に変換する。実施例１では、第１モードを標準モード、第２モードを拡大モードと称する。ユーザは、タッチパネル１０６を用いてメニュー画面を操作することにより表示モードを標準モード又は拡大モードに設定することができる。例えば、液晶パネル１０７の画面上には図３（Ｂ）に示す「拡大したい階調部分をタッチして下さい。」というメッセージが表示される。ユーザは、画面上で、階調表示を拡大したい画像の部分をタッチすることで、拡大する階調範囲を指定することができる。図３（Ｂ）の例では、画面右上にある３個の円形オブジェクトが連なっている画像において、基準の変換特性では３つの円形オブジェクトの輝度の違いが明確に認識しづらい。そこで、ユーザは、３つの円形オブジェクトの輝度の違いが認識し易いように、３つの円形オブジェクトの階調を中心とする入力範囲に割り当てる輝度範囲を拡大し、コントラストを高くした表示を実現したいと考えたとする。この場合、実施例１では、ユーザは、この３つの円形オブジェクトにタッチすれば、この３つの円形オブジェクトの階調を中心とする一定範囲を拡大対象の範囲として設定することができる。従来のように、ヒストグラムで指定する操作を必要としないため、拡大対象の階調を指定する操作が容易である。
【００１８】
次に拡大モードにおける変換特性の決定方法について説明する。拡大モードでは、入力範囲に含まれる階調値を、基準の変換特性において指定階調値を中心とする入力範囲の階調値に対応する輝度範囲より広い出力範囲の輝度に変換する変換特性を用いる。この変換特性は、少なくとも、出力範囲の上限値は最大輝度（１００％）より小さいか、又は、出力範囲の下限値は最小輝度（０％）より大きい。画像においてユーザがタッチした位置（座標）をタッチパネル１０６が検知し、システム制御１０１に通知する。システム制御部１０１は、タッチされた位置とパネル信号処理部１１１に入力される画像信号とに基づき、ユーザにタッチされた位置における画像の階調値（指定階調値）Ｍを取得する。システム制御部１０１は、指定階調値Ｍに基づき拡大モードにおける変換特性を決定する。
【００１９】
実施例１では、システム制御部１０１は、指定階調値Ｍを中心として入力範囲を決定する。入力範囲は、指定階調値Ｍを中心とする所定幅（実施例１では固定値６０とする）の階調範囲とする。なお、入力範囲の幅は一例であり、６０に限らない。また、図４（Ｂ）に示すように、指定階調値Ｍに対して−３０の階調値を入力範囲の下限値Ｎ１とし、＋３０の階調値を入力範囲の上限値Ｎ２とする。システム制御部１０１は、Ｎ１からＮ２までの階調範囲を入力範囲として決定する。
【００２０】
次に拡大モードにおける表示方法について説明する。図４（Ｂ）に示す基準の変換特性において入力範囲の下限値Ｎ１に対応する輝度をＬ１、入力範囲の上限値Ｎ２に対応する輝度をＬ２とする。図４（Ｃ）に拡大モードで用いる変換特性を示すガンマＧＬＵＴ２示す。出力範囲は所定幅Ｓ（固定値）の輝度範囲とし、出力範囲の下限値Ｓ１及び上限値Ｓ２は所定値とする。上限値Ｓ１、下限値Ｓ２は液晶パネル１０７の階調表現が最適な部分に割り当てる。液晶パネル１０７は低階調側では環境光の影響で階調表現が劣化し、高階調側では階調が認識しづらくなるため、実施例１では出力範囲の下限値Ｓ１を１０％とし、上限値Ｓ２を８０％とする。出力範囲の下限値及び上限値の数値は一例であってこれに限定されない。
基準の変換特性において入力範囲の下限値Ｎ１及び上限値Ｎ２にそれぞれ対応する輝度Ｌ１及びＬ２が、出力範囲（Ｓ１〜Ｓ２の輝度範囲）内である場合は、次のようにする。すなわち、システム制御部１０１は、入力範囲の下限階調値Ｎ１が輝度Ｓ１に変換され、入力範囲の上限階調値Ｎ２が輝度Ｓ２に変換されるような変換特性によりダイナミックレンジを拡大する。また、入力範囲より低階調側（Ｎ１以下）及び入力階調より高階調側（Ｎ２以上）の階調範囲については、階調圧縮するものの、ある程度の階調が残るようにす
る。これは、出力範囲の上限値が１００％より小さく、下限値が０％より大きいという特性のために可能となる。ガンマ補正部２０４にて用いるガンマＬＵＴをＧＬＵＴ１からＧＬＵＴ２に置き換えることにより、表示モードが標準モードから拡大モードに切り換えられる。
【００２１】
図４（Ｄ）に示すようにユーザが選択した指定階調値Ｍによっては、基準の変換特性において入力範囲の上限階調値Ｎ２に対応する出力輝度Ｌ２が、出力範囲の上限輝度Ｓ２（ここでは８０％）より大きくなる場合がある。その場合は図４（Ｅ）に示すＧＬＵＴ３のように、当該出力輝度Ｌ２（例えば９０％）を出力範囲の上限輝度とし（Ｓ２ａとする）、出力範囲の輝度幅が所定幅Ｓとなるように、出力範囲の下限輝度Ｓ１ａを決定する。この場合、下限輝度Ｓ１ａ＝Ｓ２ａ−Ｓで決定される。
同様に、基準の変換特性において入力範囲の下限階調値Ｎ１に対応する出力輝度Ｌ１が、出力範囲の下限輝度Ｓ１より小さくなる場合がある。その場合は、当該出力輝度Ｌ１を出力範囲の下限輝度とし（Ｓ１ａとする）、出力範囲の輝度幅が所定幅Ｓとなるように、出力範囲の上限輝度Ｓ２ａを決定する。この場合、上限輝度Ｓ２ａ＝Ｓ１ａ＋Ｓで決定される。
【００２２】
これらの場合も、入力範囲より低階調側（Ｎ１以下）及び入力階調より高階調側（Ｎ２以上）の階調範囲については、階調圧縮する。ガンマ補正部２０４にて用いるガンマＬＵＴをＧＬＵＴ１からＧＬＵＴ３に置き換えることにより、表示モードが標準モードから拡大モードに切り換えられる。
ガンマ補正部２０４には種々の指定階調値に対応する拡大モードで用いるためのＬＵＴ（ＧＬＵＴ３）が予め算出されて格納されている。
【００２３】
液晶パネル１０７には、図３（Ｃ）に示すように、指定階調値Ｍを中心に階調が拡大された画像が表示される。また画面上には拡大モードを解除するアイコンが配置されており、解除アイコンをタッチすると、ガンマ補正部２０４が用いるガンマ特性がＧＬＵＴ１に置き換えられ、標準的なガンマ値２．２のガンマ特性に戻り、標準モードで表示が行われる。このように、タッチパネル１０６は、拡大モード又は標準モードのどちらで表示を行うかのユーザの指定を受け付ける入力手段としても機能する。
【００２４】
このように、実施例１の撮影装置によれば、ユーザがタッチパネルでタッチして指定した階調を中心として拡大される階調範囲が決定されるので、簡単な操作で拡大する階調範囲を指定することができる。また、拡大される階調範囲以外の階調もある程度階調を維持してつぶれを抑制した表示をすることができるので、元の画像が全体としてどのような画像であったかを認識することができる。
【００２５】
＜実施例２＞
以下、本発明の実施例２における撮影装置の動作について説明する。本発明の実施例２における撮影装置の構成については実施例１と同等のため説明を省略する。
図５（Ａ）は基準の変換特性であるガンマ２．２の変換特性ＧＬＵＴ１を示す。
次に拡大モードにおける変換特性の決定方法について説明する。図５（Ｂ）に拡大モードにおける変換特性であるガンマＧＬＵＴ４を示す。
【００２６】
実施例２では、入力範囲は、指定階調値Ｍを中心とする可変幅の階調範囲である。出力範囲は所定幅Ｓ（固定値）の輝度範囲とし、出力範囲の下限値Ｓ１及び上限値Ｓ２は所定値（それぞれ１０％、８０％、固定値）とする。
【００２７】
次に拡大モードにおける表示方法について説明する。
図５（Ａ）において指定階調値Ｍを入力範囲の中心とする。入力範囲の下限値をＮ１、
上限値をＮ２とする。基準の変換特性においてＮ１に対応する輝度をＬ１、Ｎ２に対応する輝度をＬ２とする。Ｌ１からＬ２までの輝度範囲は、基準の変換特性において入力範囲（Ｎ１〜Ｎ２）に対応する基準出力範囲である。基準出力範囲の輝度幅をＬとする。実施例２は、基準出力範囲の輝度幅Ｌが所定幅となるように、入力範囲の下限値Ｎ１及び上限値Ｎ２を決定する。具体的には、出力範囲の輝度幅Ｓに基づき基準出力範囲の輝度幅Ｌを決定する。実施例２では、Ｌ＝１／２×Ｓとする。基準出力範囲の輝度幅Ｌと出力範囲の輝度幅Ｓとの関係は一例であり、これに限定されない。システム制御部１０１は、入力範囲の下限階調値Ｎ１が輝度Ｓ１に変換され、入力範囲の上限階調値Ｎ２が輝度Ｓ２に変換されるような変換特性によりダイナミックレンジを拡大する。また、入力画像の階調値のＮ１以下とＮ２以上の範囲については階調圧縮するものの、ある程度の階調が残るようにする。ガンマ補正部２０４にて用いるガンマＬＵＴをＧＬＵＴ１からＧＬＵＴ４に置き換えることにより、表示モードが標準モードから拡大モードに切り換えられる。
ガンマ補正部２０４には種々の指定階調値に対応する拡大モードで用いるためのＬＵＴ（ＧＬＵＴ３）が予め算出されて格納されている。
【００２８】
液晶パネル１０７には、図３（Ｃ）に示すように、指定階調値Ｍを中心に階調が拡大された画像が表示される。また画面上には拡大モードを解除するアイコンが配置されており、解除アイコンをタッチすると、ガンマ補正部２０４が用いるガンマ特性がＧＬＵＴ１に置き換えられ、標準的なガンマ値２．２のガンマ特性に戻り、標準モードで表示が行われる。
【００２９】
このように、実施例２の撮影装置によれば、ユーザがタッチパネルでタッチして指定した階調を中心として拡大される階調範囲が決定されるので、簡単な操作で拡大する階調範囲を指定することができる。また、拡大される階調範囲以外の階調もある程度階調を維持してつぶれを抑制した表示をすることができるので、元の画像が全体としてどのような画像であったかを認識することができる。
【００３０】
＜実施例３＞
以下、本発明の実施例３における撮影装置の動作について説明する。本発明の実施例３における撮影装置の構成については実施例１と同等のため説明を省略する。
図６（Ａ）は基準の変換特性であるガンマ２．２の変換特性ＧＬＵＴ１を示す。
【００３１】
次に拡大モードにおける表示方法について説明する。
実施例３では、入力範囲は、指定階調値Ｍを中心とする所定幅（６０とする。固定値）の階調範囲である。また、図６（Ｂ）に示すように、指定階調値Ｍに対して−３０の階調値を入力範囲の下限値Ｎ１とし、＋３０の階調値を入力範囲の上限値Ｎ２とする。システム制御部１０１は、入力範囲を、Ｎ１からＮ２までの階調範囲に決定する。基準の変換特性において入力範囲の下限値Ｎ１に対応する輝度をＬ１、入力範囲の上限値Ｎ２に対応する輝度をＬ２とする。
【００３２】
図６（Ｂ）に拡大モードで用いる変換特性であるガンマＧＬＵＴ５を示す。システム制御部１０１は、入力範囲の下限階調値Ｎ１が輝度Ｓ１に変換され、入力範囲の上限階調値Ｎ２が輝度Ｓ２に変換されるような変換特性によりダイナミックレンジを拡大する。出力範囲は、所定幅Ｓ（固定値）の輝度範囲とする。実施例３では、出力範囲の上限値Ｓ２及び下限値Ｓ１は可変値とする。
拡大モードにおける変換特性の決定方法について説明する。図６（Ａ）に示す、基準の変換特性において入力範囲（Ｎ１〜Ｎ２）に対応する基準出力範囲（Ｌ１〜Ｌ２）より低輝度側（０％〜Ｌ１）の輝度幅ｂ、基準出力範囲より高輝度側（Ｌ２〜１００％）の輝度幅をａとする。図６（Ｂ）に示す、出力範囲（Ｓ１〜Ｓ２）より低輝度側（０％〜Ｓ１）の輝度幅をｂ１、出力範囲より高輝度側（Ｓ２〜１００％）の輝度幅をａ１とする。実施
例３では、ａ１：ｂ１の比率がａ：ｂの比率のα倍（αは任意の係数）となるように出力範囲の上限値Ｓ２及び下限値Ｓ１を決定する。実施例３では、ａ１：ｂ１の比率がａ：ｂの比率より大きくなるように（α＝１．１〜２．０）、出力範囲を決定する。なお、ａ１：ｂ１の比率がａ：ｂの比率と同じになるように（α＝１）、出力範囲を決定しても良い。
【００３３】
入力画像の階調値のＮ１以下とＮ２以上の範囲については階調圧縮するものの、ある程度の階調が残るようにする。ガンマ補正部２０４にて用いるガンマＬＵＴをＧＬＵＴ１からＧＬＵＴ５に置き換えることにより、表示モードが標準モードから拡大モードに切り換えられる。
ガンマ補正部２０４には種々の指定階調値に対応する拡大モードで用いるためのＬＵＴ（ＧＬＵＴ３）が予め算出されて格納されている。
【００３４】
液晶パネル１０７には図３（Ｃ）に示すように、選択した入力レベルを中心に階調が拡大された画像が表示される。また画面上には拡大モードを解除するアイコンが配置されており、解除アイコンをタッチするとガンマ補正部２０４にてＧＬＵＴ１に置き換えられ、標準的なガンマ値２．２のガンマ特性に戻り、標準モードで表示が行われる。
【００３５】
このように、実施例３の撮影装置によれば、ユーザがタッチパネルでタッチして指定した階調を中心として拡大される階調範囲が決定されるので、簡単な操作で拡大する階調範囲を指定することができる。また、拡大される階調範囲以外の階調もある程度階調を維持してつぶれを抑制した表示をすることができるので、元の画像が全体としてどのような画像であったかを認識することができる。また低階調側より高階調側のダイナミックレンジを広くとることにより、高階調側の視認性が向上した最適画像を表示することができる。
【００３６】
＜実施例４＞
以下、本発明の実施例４における撮影装置の動作について説明する。本発明の実施例４における撮影装置の構成については実施例１と同等のため説明を省略する。
図７（Ａ）は基準の変換特性であるガンマ２．２の変換特性ＧＬＵＴ１を示す。
【００３７】
次に拡大モードにおける表示方法について説明する。
実施例４では、入力範囲は、指定階調値Ｍを中心とする所定幅（６０とする。固定値）の階調範囲である。図７（Ａ）に示すように指定階調値Ｍに対して−３０の階調値を入力範囲の下限値Ｎ１とし、＋３０の階調値を入力範囲の上限値Ｎ２とする。システム制御部１０１は、入力範囲を、Ｎ１からＮ２までの階調範囲に決定する。基準の変換特性において入力範囲の下限値Ｎ１に対応する輝度をＬ１、入力範囲の上限値Ｎ２に対応する輝度をＬ２とする。
【００３８】
図７（Ｂ）に拡大モードで用いる変換特性であるガンマＧＬＵＴ６を示す。システム制御部１０１は、入力範囲の下限階調値Ｎ１が輝度Ｓ１に変換され、入力範囲の上限階調値Ｎ２が輝度Ｓ２に変換されるような変換特性によりダイナミックレンジを拡大する。
拡大モードにおける変換特性の決定方法について説明する。実施例４では、出力範囲は、指定階調値Ｍに基づき決定される可変幅の輝度範囲である。具体的には、指定階調値Ｍが大きいほど、出力範囲の輝度幅を大きくする。例えば、図７（Ａ）において、指定階調値Ｍが６０の場合、図７（Ｂ）に示すように、出力範囲の輝度幅をＳＬとし、出力範囲の下限値を５％、上限値を５５％とする。この場合の変換特性はガンマＧＬＵＴ６となる。一方、図７（Ｃ）において、指定階調値Ｍが１９０の場合、図７（Ｄ）に示すように、出力範囲の輝度幅をＳＨとし、出力範囲の下限値を１５％、上限値を８５％とする。この場合の変換特性はガンマＧＬＵＴ７となる。出力範囲の輝度幅は、ＳＬ＜ＳＨの関係にあり、指定階調値Ｍが大きくなる程、出力範囲の輝度幅が大きくなるように、出力範囲の上限
値及び下限値を決定する。
【００３９】
入力画像の階調値のＮ１以下とＮ２以上の範囲については階調圧縮するものの、ある程度の階調が残るようにする。ガンマ補正部２０４にて用いるガンマＬＵＴをＧＬＵＴ１からＧＬＵＴ５に置き換えることにより、表示モードが標準モードから拡大モードに切り換えられる。
ガンマ補正部２０４には種々の指定階調値に対応する拡大モードで用いるためのＬＵＴ（ＧＬＵＴ３）が予め算出されて格納されている。
【００４０】
液晶パネル１０７には図３（Ｃ）に示すように、選択した入力レベルを中心に階調が拡大された画像が表示される。また画面上には拡大モードを解除するアイコンが配置されており、解除アイコンをタッチするとガンマ補正部２０４にてＧＬＵＴ１に置き換えられ、標準的なガンマ値２．２のガンマ特性に戻り、標準モードで表示が行われる。
【００４１】
このように、実施例４の撮影装置によれば、ユーザがタッチパネルでタッチして指定した階調を中心として拡大される階調範囲が決定されるので、簡単な操作で拡大する階調範囲を指定することができる。また、拡大される階調範囲以外の階調もある程度階調を維持してつぶれを抑制した表示をすることができるので、元の画像が全体としてどのような画像であったかを認識することができる。また低階調側より高階調側のダイナミックレンジを広くとることにより、高階調側の視認性が向上した最適画像を表示することができる。
【００４２】
以上、本発明をその好適な実施例に基づいて詳述してきたが、本発明はこれら特定の実施例に限られるものではなく、この発明の要旨を逸脱しない範囲の様々な形態も本発明に含まれる。上述の実施例の一部を適宜組み合わせてもよい。
上記各実施例では、表示手段として液晶パネル及びバックライトを有する液晶表示装置を例示したが、これに限らない。例えば、有機ＥＬパネル、プラズマパネル、ＭＥＭＳ（Micro Electro Mechanical System）シャッター方式パネル、等を使用することができる
。
上記各実施例では、表示手段に表示されている画像における位置の指定を受け付ける入力手段としてユーザがタッチした画面上の位置を取得するタッチパネルを例示したが、これに限らない。入力手段は、例えば、マウス、トラックボール、キーボード、リモコン、により画面に表示されるポインタやカーソルを移動させ画像上の所望の位置を指定する構成としても良い。
【００４３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４４】
１０１：システム制御部、１０６：タッチパネル、２０４：ガンマ補正部
【図１】
2018042150.tif 000003
【図２】
2018042150.tif 000004
【図３】
2018042150.tif 000005
【図４】
2018042150.tif 000006
【図５】
2018042150.tif 000007
【図６】
2018042150.tif 000008
【図７】
2018042150.tif 000009